(57)【要約】【課題】壁面を傷つけることなく制御ユニットを壁面に設置することが可能な電動ポンプシステムを提供する。【解決手段】この電動ポンプシステム１００は、水中電動ポンプ３ａおよび３ｂと、水中電動ポンプ３ａおよび３ｂの運転を制御する制御基板６と、制御基板６が取り付けられ、壁面Ａに設けられた屋外コンセントＢに対して固定されることにより制御基板６を壁面Ａに設置するための制御基板取付部材７とを備える。【選択図】図３
2018091212.tif 000002
【特許請求の範囲】
【請求項１】
電動ポンプと、
前記電動ポンプの運転を制御する制御ユニットと、
前記制御ユニットが取り付けられ、壁面に設けられた構造物に対して固定されることにより前記制御ユニットを前記壁面に設置するための制御ユニット取付部材とを備える、電動ポンプシステム。
【請求項２】
前記構造物は、屋外コンセントを含む、請求項１に記載の電動ポンプシステム。
【請求項３】
前記制御ユニット取付部材は、前記構造物を収容する構造物収容部を含み、前記構造物収容部に前記構造物が収容された状態で、前記構造物に対して固定されるように構成されている、請求項１または２に記載の電動ポンプシステム。
【請求項４】
前記制御ユニットは、制御基板を含み、
前記制御ユニット取付部材は、前記制御ユニット取付部材の背面側に設けられ、前記制御基板を取り付ける制御基板取付部を含み、
前記構造物収容部と前記制御基板取付部とは、水平方向に並ぶように配置されている、請求項３に記載の電動ポンプシステム。
【請求項５】
前記電動ポンプを前記制御基板に接続する配線をさらに備え、
前記制御ユニット取付部材は、前記制御基板の下方側に位置する前記制御ユニット取付部材の底面に設けられ、前記配線が通される配線用貫通孔を含む、請求項４に記載の電動ポンプシステム。
【請求項６】
前記構造物は、屋外コンセントを含み、
前記制御ユニットは、前記制御基板取付部の下方に引き出された前記制御基板に電力を供給するための電源プラグを有し、
前記制御ユニット取付部材は、前記制御基板取付部の下方から引き出された前記電源プラグが前記構造物収容部に収容された前記屋外コンセントに接続可能に構成されている、請求項４または５に記載の電動ポンプシステム。
【請求項７】
前記制御基板取付部は、前記制御基板を配置する凹部と、前記凹部に前記制御基板が配置された状態で、前記凹部を密閉状態で塞ぐ蓋部材とを含む、請求項４〜６のいずれか１項に記載の電動ポンプシステム。
【請求項８】
前記電動ポンプにより排水される領域の水位を検知する水位検知部をさらに備え、
前記電動ポンプは、複数設けられ、
前記制御ユニットは、前記水位検知部により検知した水位に基づいて、複数の前記電動ポンプを交互に運転させるように構成されている、請求項１〜７のいずれか１項に記載の電動ポンプシステム。
【請求項９】
前記制御ユニット取付部材は、前面側に配置される防水シールと、前記防水シールにより覆われる通知部および操作部の少なくとも一方とを含む、請求項１〜８のいずれか１項に記載の電動ポンプシステム。
【請求項１０】
前記制御ユニット取付部材は、前記構造物収容部に前記構造物が収容された状態で、前記構造物に側方から当接することにより前記構造物に対して前記制御ユニット取付部材を固定する固定部材を含む、請求項３〜７のいずれか１項に記載の電動ポンプシステム。
【請求項１１】
前記制御ユニット取付部材は、前記構造物収容部に前記構造物が収容された状態で、前記固定部材により前記構造物の一方外側面を押圧することによって、前記構造物の他方外側面を前記制御ユニット取付部材の前記構造物収容部の内壁面に押圧させることにより、前記構造物に対して固定されるように構成されている、請求項１０に記載の電動ポンプシステム。
【請求項１２】
前記制御ユニット取付部材は、絶縁性を有する材料により形成されている、請求項１〜１１のいずれか１項に記載の電動ポンプシステム。
【請求項１３】
電動ポンプの運転を制御する制御ユニットと、
壁面に設けられた構造物に対して固定されることにより前記制御ユニットを設置するための制御ユニット取付部材とを備える、電動ポンプ制御ユニット。
【発明の詳細な説明】
【技術分野】
【０００１】
この発明は、電動ポンプシステムおよび電動ポンプ制御ユニットに関する。
【背景技術】
【０００２】
従来、電動ポンプシステムが知られている（たとえば、特許文献１参照）。
【０００３】
上記特許文献１には、電動ポンプと、電動ポンプを運転させる制御を行う制御ユニットと、制御ユニットを内側に配置する筐体とを備える電動ポンプシステムが開示されている。
【０００４】
上記特許文献１に記載されているような従来の電動ポンプシステムでは、制御ユニットを内側に配置する筐体が壁面に対してボルトなどにより直接固定されるように構成されている。その結果、制御ユニットは、筐体を介して家屋の壁面に設置されるように構成されている。
【先行技術文献】
【特許文献】
【０００５】
【特許文献１】特開２０１３−２４１５１号公報
【発明の概要】
【発明が解決しようとする課題】
【０００６】
しかしながら、上記特許文献１のような従来の電動ポンプシステムでは、制御ユニットを内側に配置する筐体がボルトなどにより直接壁面に固定されることから壁面にボルト締結用の孔などを直接形成する必要があるため、家屋の壁面が傷つけられてしまうという問題点がある。
【０００７】
この発明は、上記のような課題を解決するためになされたものであり、この発明の１つの目的は、壁面を傷つけることなく制御ユニットを壁面に設置することが可能な電動ポンプシステムおよび電動ポンプ制御ユニットを提供することである。
【課題を解決するための手段】
【０００８】
この発明の第１の局面による電動ポンプシステムは、電動ポンプと、電動ポンプの運転を制御する制御ユニットと、制御ユニットが取り付けられ、壁面に設けられた構造物に対して固定されることにより制御ユニットを壁面に設置するための制御ユニット取付部材とを備える。
【０００９】
この発明の第１の局面による電動ポンプシステムでは、上記のように、壁面に設けられた構造物に対して固定されることにより制御ユニットを設置する制御ユニット取付部材を設ける。これにより、制御ユニット取付部材が壁面ではなく、壁面に設けられた構造物に対して固定されることにより、制御ユニットが設置されるので、ボルトなどの締結用の孔を壁面に直接形成する必要がない。その結果、壁面を傷つけることなく、制御ユニットを壁面に設置することができる。また、構造物が地面からの水や泥等の跳ね返りがかかりにくい高さ位置に設けられている場合に、制御ユニット取付部材を用いて制御ユニットを壁面に設けられた構造物に対して固定することにより、制御ユニット取付部材を構造物と略同等の高さ位置に設置することができるので、例えば雨天時において、地面からの雨の跳ね返りが制御ユニット取付部材へかかることを抑制する事ができる。
【００１０】
上記第１の局面による電動ポンプシステムにおいて、好ましくは、構造物は、屋外コンセントを含む。このように構成すれば、屋外コンセントを利用して、制御ユニットを壁面に取り付けることができる。また、屋外コンセントが設けられた壁面を傷つけることなく、制御ユニットを壁面に設置することができる。
【００１１】
上記第１の局面による電動ポンプシステムにおいて、好ましくは、制御ユニット取付部材は、構造物を収容する構造物収容部を含み、構造物収容部に構造物が収容された状態で、構造物に対して固定されるように構成されている。このように構成すれば、構造物収容部に構造物が収容されるので、制御ユニット取付部材により、構造物に埃や水などが接するのを抑制しながら、壁面を傷つけることなく、制御ユニットを壁面に設置することができる。
【００１２】
この場合、好ましくは、制御ユニットは、制御基板を含み、制御ユニット取付部材は、制御ユニット取付部材の背面側に設けられ、制御基板を取り付ける制御基板取付部を含み、構造物収容部と制御基板取付部とは、水平方向に並ぶように配置されている。このように構成すれば、構造物が制御基板と所定の配線により接続可能な構成である場合には、構造物収容部と制御基板取付部との高さ位置が同じになるので、制御基板と構造物との配線による接続を容易に行うことができる。
【００１３】
上記制御ユニットが制御基板を含む構成において、好ましくは、電動ポンプを制御基板に接続する配線をさらに備え、制御ユニット取付部材は、制御基板の下方側に位置する制御ユニット取付部材の底面に設けられ、配線が通される配線用貫通孔を含む。このように構成すれば、配線用貫通孔が制御ユニット取付部材の底面に設けられるので、配線用貫通孔を介して水（雨）や埃などが制御基板側に浸入するのを抑制することができる。その結果、水や埃などが制御基板に接するのを抑制することができる。
【００１４】
上記制御ユニットが制御基板を含む構成において、好ましくは、構造物は、屋外コンセントを含み、制御ユニットは、制御基板取付部の下方に引き出された制御基板に電力を供給するための電源プラグを有し、制御ユニット取付部材は、制御基板取付部の下方から引き出された電源プラグが構造物収容部に収容された屋外コンセントに接続可能に構成されている。このように構成すれば、制御ユニット取付部材が屋外コンセントに固定されるので、制御ユニットを屋外コンセントに近接して配置することができる。その結果、制御ユニットは、電源プラグを介して制御ユニットに近接して配置された屋外コンセントから電力の供給を受けることができるので、配線の取り回しを容易に行うことができる。
【００１５】
上記制御ユニットが制御基板を含む構成において、好ましくは、制御基板取付部は、制御基板を配置する凹部と、凹部に制御基板が配置された状態で、凹部を密閉状態で塞ぐ蓋部材とを含む。このように構成すれば、蓋部材により凹部が密閉状態で塞がれるので、凹部に配置された制御基板に水や埃が浸入するのを抑制することができる。
【００１６】
上記第１の局面による電動ポンプシステムにおいて、好ましくは、電動ポンプにより排水される領域の水位を検知する水位検知部をさらに備え、電動ポンプは、複数設けられ、制御ユニットは、水位検知部により検知した水位に基づいて、複数の電動ポンプを交互に運転させるように構成されている。このように構成すれば、制御ユニットおよび水位検知部により、自動で電動ポンプを交互運転させることができるので、特定の電動ポンプに負荷が集中するのを抑制することができる。
【００１７】
上記第１の局面による電動ポンプシステムにおいて、好ましくは、制御ユニット取付部材は、前面側に配置される防水シールと、防水シールにより覆われる通知部および操作部の少なくとも一方とを含む。このように構成すれば、防水シールにより水や埃などが制御ユニット取付部材内に浸入するのを抑制することができる。
【００１８】
上記制御ユニット取付部材が構造物収容部を含む構成において、好ましくは、制御ユニット取付部材は、構造物収容部に構造物が収容された状態で、構造物に側方から当接することにより構造物に対して制御ユニット取付部材を固定する固定部材を含む。このように構成すれば、固定部材を構造物に側方から当接させるだけで、構造物に対して制御ユニット取付部材を固定することができるので、構造物に対して制御ユニット取付部材を、容易に固定することができる。
【００１９】
この場合、好ましくは、制御ユニット取付部材は、構造物収容部に構造物が収容された状態で、固定部材により構造物の一方外側面を押圧することによって、構造物の他方外側面を制御ユニット取付部材の構造物収容部の内壁面に押圧させることにより、構造物に対して固定されるように構成されている。このように構成すれば、固定部材を用いて構造物を挟持することにより、制御ユニット取付部材が構造物に対して固定されるので、壁面を傷つけることなく、制御ユニットを壁面に設置することができる。また、単に構造物を挟持するたけで、制御ユニット取付部材が構造物に対して固定されるので、容易に、制御ユニットを壁面に設置することができる。
【００２０】
上記第１の局面による電動ポンプシステムにおいて、好ましくは、制御ユニット取付部材は、絶縁性を有する材料により形成されている。このように構成すれば、絶縁性の樹脂を用いるために、制御ユニットに流れる電流が制御ユニット取付部材に伝わるのを防止することができる。
【００２１】
この発明の第２の局面による電動ポンプ制御ユニットは、電動ポンプと、電動ポンプの運転を制御する制御ユニットと、壁面に設けられた構造物に対して固定されることにより制御ユニットを設置するための制御ユニット取付部材とを備える。
【００２２】
この発明の第２の局面による電動ポンプ制御ユニットでは、上記のように、壁面に設けられた構造物に対して固定されることにより制御ユニットを設置する制御ユニット取付部材を設ける。これにより、制御ユニット取付部材が壁面ではなく、壁面に設けられた構造物に対して固定されることにより、制御ユニットが設置されるので、ボルトなどの締結用の孔を壁面に直接形成する必要がない。その結果、壁面を傷つけることなく、制御ユニットを壁面に設置することができる。また、地面からの水や泥等の跳ね返りがかかりにくい高さ位置に設けられている場合に、制御ユニット取付部材を用いて制御ユニットを壁面に設けられた構造物に対して固定することにより、制御ユニット取付部材を構造物と略同等の高さ位置に設置することができるので、例えば雨天時において、地面からの雨の跳ね返りが制御ユニット取付部材へかかることを抑制する事ができる。
【発明の効果】
【００２３】
本発明によれば、上記のように、壁面を傷つけることなく制御ユニットを壁面に設置することが可能な電動ポンプシステムおよび電動ポンプ制御ユニットを提供することができる。
【図面の簡単な説明】
【００２４】
【図１】本発明の第１実施形態による電動ポンプシステムを示した模式図である。
【図２】本発明の第１実施形態による電動ポンプシステムの屋外コンセントに固定された状態の電動ポンプ制御ユニットを示した斜視図である。
【図３】本発明の第１実施形態による電動ポンプシステムの電動ポンプ制御ユニットの分解斜視図である。
【図４】本発明の第１実施形態による電動ポンプシステムの制御基板の回路図である。
【図５】本発明の第１実施形態による電動ポンプシステムの電動ポンプ制御ユニットを背面側から見た斜視図である。
【図６】本発明の第１実施形態による電動ポンプシステムの制御基板取付部材の背面図である。
【図７】図４の３００−３００線に沿った断面図である。
【図８】本発明の第１実施形態による電動ポンプシステムの通知部および操作部の部分拡大図である。
【図９】本発明の第１実施形態による電動ポンプシステムの制御基板によるポンプ交互運転処理を説明するためのフローチャートである。
【図１０】本発明の第２実施形態による電動ポンプシステムの電動ポンプ制御ユニットの正面図である。
【図１１】本発明の第２実施形態による電動ポンプシステムの電動ポンプ制御ユニットの右側面図である。
【発明を実施するための形態】
【００２５】
以下、本発明の第１実施形態を図面に基づいて説明する。
【００２６】
［第１実施形態］
（電動ポンプシステムの構成）
図１〜図９を参照して、本発明の第１実施形態について説明する。本実施形態による電動ポンプシステム１００は、図１に示すように、タンク１に流入する水を排水するように構成されている。また、電動ポンプシステム１００は、図１に示すように、タンク１と、配線２ａ、２ｂおよび２ｃと、２つの水中電動ポンプ３ａおよび３ｂと、水位検知部４と、電動ポンプ制御ユニット５とを備えている。水位検知部４は、水中電動ポンプ３ａに設置されている。なお、水中電動ポンプ３ａおよび３ｂは、特許請求の範囲の「電動ポンプ」の一例である。また、水位検知部４は、水中電動ポンプ３ｂに設置してもよい。
【００２７】
タンク１は、流入される汚水などの液体を貯留するように構成されている。具体的には、タンク１は、家屋の地下に設けられる浄化槽などである。
【００２８】
水中電動ポンプ３ａと、電動ポンプ制御ユニット５とは、配線２ａにより互いに電気的に接続されている。また、水中電動ポンプ３ｂと、電動ポンプ制御ユニット５とは、配線２ｂにより互いに電気的に接続されている。また、水位検知部４と電動ポンプ制御ユニット５とは、配線２ｃにより互いに電気的に接続されている。電動ポンプ制御ユニット５は、制御基板６と、制御基板６が取り付けられる制御基板取付部材７とを備えている。制御基板取付部材７は、家屋などの壁面Ａに設けられた屋外コンセントＢに対して制御基板６を固定するように構成されている。すなわち、制御基板６は、制御基板取付部材７を介して屋外コンセントＢに固定されている。制御基板取付部材７は、屋外コンセントＢを収容する屋外コンセント収容部７１（図２参照）を含んでいる。屋外コンセントＢは、例えば２つのプラグ差込口を下方側に有している。なお、制御基板６は、特許請求の範囲の「制御ユニット」の一例である。また、屋外コンセントＢは、特許請求の範囲の「構造物」の一例である。また、制御基板取付部材７は、特許請求の範囲の「制御ユニット取付部材」の一例である。また、屋外コンセント収容部７１は、特許請求の範囲の「構造物収容部」の一例である。
【００２９】
ここで、以下の説明では、壁面Ａに直交する方向を前後方向（Ｙ方向）とする。また、上下方向（Ｚ方向）および前後方向に直交する方向を左右方向（Ｘ方向）とする。
【００３０】
２つの水中電動ポンプ３ａおよび３ｂは、タンク１内（底）に配置されている。また、水中電動ポンプ３ａおよび３ｂは、それぞれ、排水管Ｃ１およびＣ２が接続されており、排水管Ｃ１およびＣ２を介して、タンク１内の液体を外部に排出するように構成されている。また、水中電動ポンプ３ａおよび３ｂは、それぞれ、配線２ａおよび２ｂを介して、電動ポンプ制御ユニット５から電力が供給される。また、水中電動ポンプ３ａおよび３ｂは、電動ポンプ制御ユニット５による制御の下、交互あるいは同時に運転されるように構成されている。詳細については後述する。
【００３１】
水位検知部４は、配線２ｃを介して、電動ポンプ制御ユニット５から電力が供給される。また、水位検知部４は、複数の水中電動ポンプ３ａおよび３ｂにより排水される領域であるタンク１内の水位を検知するように構成されている。具体的には、水位検知部４は、タンク１から水を排水する必要があるＯＮ水位と、タンク１から水が略抜けて、水を排水する必要がないＯＦＦ水位とを検知するように構成されている。つまり、ＯＮ水位は、水位検知部４がＯＮになる位置の水位であり、ＯＦＦ水位は、水位検知部４がＯＦＦになる位置の水位である。水位検知部４は、水位検知信号を電動ポンプ制御ユニット５（制御基板６）に送信するように構成されている。水位検知部４は、たとえば、フロート式スイッチや、電極式スイッチなどにより構成されている。以下の説明において、タンク１、水中電動ポンプ３ａ（３ｂ）、水位検知部４および壁面Ａについては、図１または図４を参照するものとする。また、以下では、図１を参照する旨の記載を省略する。
【００３２】
制御基板６には、図３および図４に示すように、電源部６１と、一端が電源部６１に接続される配線を含む電源プラグ６２と、リレー部６３と、水中電動ポンプ３ａ用のコネクタ部６４ａと、水中電動ポンプ３ｂ用のコネクタ部６４ｂと、水位検知部４用のコネクタ部６４ｃと、端子台６５と、複数のＬＥＤ６６ａ、６６ｂ、６６ｃ、６６ｄ、６６ｅ、６６ｆおよび６６ｇ（図３参照）と、複数のスイッチ６７ａおよび６７ｂ（図３参照）と、マイコン（マイクロコンピュータ）６８とが設けられている。リレー部６３は、スイッチ部６３ａと、コイル部６３ｂとを有している。また、制御基板６は、壁面Ａと略平行に配置されている。なお、端子台６５、コネクタ部６４ａおよび６４ｂ、ＬＥＤ６６ａ〜６６ｇおよびスイッチ６７ａおよび６７ｂは、基板前面６ａ（Ｙ１方向側の面）に配置されている。また、電源部６１、リレー部６３およびコネクタ部６４ｃは、基板後面６ｂ（Ｙ２方向側の面）に配置されている。
【００３３】
電源プラグ６２は、図２に示すように、後述する制御基板取付部７３（図５参照）の下方に引き出され、屋外コンセント収容部７１に収容された屋外コンセントＢに接続可能に構成されている。また、電源プラグ６２は、図３に示すように、端子台６５に接続され、制御基板６に電力を供給するように構成されている。また、電源部６１は、屋外コンセントＢからの電力を所定電圧（たとえば１２Ｖ）に変圧するように構成されている。そして、制御基板６は、電源部６１から、水位検知部４や、制御基板６上に実装されたＬＥＤ６６ａ〜６６ｇとスイッチ６７ａおよび６７ｂや、リレー部６３のコイル部６３ｂや、マイコン６８のそれぞれに電力を供給するように構成されている。また、電源部６１にて変圧することなく、端子台６５からリレー部６３のスイッチ部６３ａを介して、水中電動ポンプ３ａ、水中電動ポンプ３ｂへ電力（たとえば１００Ｖ）を供給するように構成されている。マイコン６８は、水中電動ポンプ３ａと水中電動ポンプ３ｂの運転を制御するため、水中電動ポンプ３ａと水中電動ポンプ３ｂのそれぞれに対応するリレー部６３のスイッチ部６３ａをオンオフするよう構成されており、リレー部６３は、それぞれ、マイコン６８の制御に従って水中電動ポンプ３ａと水中電動ポンプ３ｂとの間で電力供給の対象を切り替えるように構成されている。コネクタ部６４ａには、一端がタンク１内に配置される水中電動ポンプ３ａに接続される配線２ａ（図２参照）の他端が接続されている。コネクタ部６４ｂには、一端がタンク１内に配置される水中電動ポンプ３ｂに接続される配線２ｂの他端が接続されている。コネクタ部６４ｃには、一端がタンク１内に配置される水位検知部４に接続される配線２ｃ（図２参照）の他端が接続されている。
【００３４】
ここで、図５に示すように、第１実施形態では、制御基板取付部材７は、制御基板６が取り付けられ、壁面Ａに設けられた屋外コンセントＢに対して固定されることにより、制御基板６を壁面Ａに設置するように構成されている。詳細には、制御基板取付部材７は、制御基板６がネジ（図示せず）により後述する制御基板取付部７３に取り付けられた状態で、壁面Ａに設けられた屋外コンセントＢを挟持することにより、屋外コンセントＢに対して固定されるように構成されている。また、制御基板取付部材７は、上下方向よりも、壁面Ａに沿った水平方向（横方向）に延びる形状を有している。また、制御基板取付部材７は、弾性変形可能な絶縁性を有する材料により形成されていることが望ましい。たとえば、制御基板取付部材７は、樹脂材料から形成されている。これにより、制御基板取付部材７は、屋外コンセントＢ等の壁面Ａに設けられた構造物への取り付けも行いやすく、また、制御基板６に流れる電流が制御基板取付部材７に伝わるのを防止することができる。
【００３５】
制御基板取付部材７は、図３に示すように、屋外コンセント収容部７１と、固定部材７２と、制御基板取付部７３と、配線用貫通孔７４ａ、７４ｂ、７４ｃと、電源プラグ用貫通孔７４ｄと、通知部７５（図７参照）と、操作部７６（図７参照）と、防水シール７７とを含んでいる。
【００３６】
屋外コンセント収容部７１は、図５および図６に示すように、制御基板取付部材７内の左方向側（Ｘ２方向側）に配置されている。また、屋外コンセント収容部７１は、壁面Ａに近い側である背面側から前方（Ｙ１方向）に窪む凹形状に形成されている。
【００３７】
屋外コンセント収容部７１の左方向側（Ｘ２方向側）の側壁７１１には、貫通孔７１１ａと、固定部材取付部７１１ｂと、リブ部７１１ｃとが設けられている。貫通孔７１１ａは、左右方向（Ｘ方向）に側壁７１１を貫通している。固定部材取付部７１１ｂは、貫通孔７１１ａに沿って、側壁７１１から左方向側（Ｘ２方向）に突出する円筒形状を有し、外周面上に雄ネジが形成されている。リブ部７１１ｃは、側壁７１１の内面（Ｘ２方向側の面）に上下方向に延びるように形成されている。また、リブ部７１１ｃは、複数設けられている。
【００３８】
制御基板取付部材７は、図６に示すように、屋外コンセント収容部７１に屋外コンセントＢが収容された状態で、屋外コンセントＢに対して固定されるように構成されている。詳細には、屋外コンセント収容部７１には、下側（Ｚ２方向側）に開口部７１ａが設けられている。制御基板取付部材７は、屋外コンセント収容部７１により屋外コンセントＢの上側を覆うとともに、開口部７１ａから、屋外コンセントＢの下側に設けられたプラグ差込口を露出させた状態で、固定部材７２により屋外コンセントＢに対して固定されるように構成されている。
【００３９】
固定部材７２は、屋外コンセント収容部７１に屋外コンセントＢが収容された状態で、屋外コンセントＢに左方向側（Ｘ２方向側）から当接することにより屋外コンセントＢに対して制御基板取付部材７を固定するように構成されている。
【００４０】
詳細には、固定部材７２は、図７に示すように、雌ネジが形成された雌ネジ部７２ａと、屋外コンセントＢに当接して、屋外コンセントＢを押圧する押圧部７２ｂとを有している。また、押圧部７２ｂは、雌ネジ部７２ａからＸ１方向に延びる円筒形状を有している。
【００４１】
固定部材７２は、押圧部７２ｂを貫通孔７１１ａの内側に配置した状態で、雌ネジ部７２ａが側壁７１１の固定部材取付部７１１ｂに螺合されることにより、制御基板取付部材７の側壁７１１に取り付けられるように構成されている。これにより、押圧部７２ｂは、右側（Ｘ１方向側）の端面が屋外コンセントＢに当接するように構成されている。この際、屋外コンセントＢは、図３に示すように、右外側面Ｂ２が屋外コンセント収容部７１の内壁面７１２に当接する。つまり、屋外コンセントＢは、制御基板取付部材７により挟持される。また、固定部材７２は、螺合する量を調整することにより、屋外コンセントＢを押圧する押圧力を調整可能に構成されている。すなわち、制御基板取付部材７は、屋外コンセント収容部７１に屋外コンセントＢが収容された状態で、固定部材７２により屋外コンセントＢの左外側面Ｂ１を押圧することによって、屋外コンセントＢの右外側面Ｂ２を制御基板取付部材７の屋外コンセント収容部７１の内壁面７１２に押圧させることにより、屋外コンセントＢに対して固定されるように構成されている。なお、左外側面Ｂ１は、特許請求の範囲の「一方外側面」の一例である。また、右外側面Ｂ２は、特許請求の範囲の「他方外側面」の一例である。
【００４２】
制御基板取付部７３は、図５に示すように、制御基板取付部材７の背面側（Ｙ２方向側）に設けられ、制御基板６を取り付けるように構成されている。詳細には、制御基板取付部７３は、制御基板６を内側に配置する凹部７３ａと、凹部７３ａに制御基板６が配置された状態で、凹部７３ａを密閉状態で塞ぐ蓋部材７３ｂ（図３参照）とを含んでいる。凹部７３ａは、背面側から前方（Ｙ１方向）に窪む凹形状に形成されている。また、凹部７３ａ（制御基板取付部７３）は、制御基板取付部材７の右方向側（Ｘ１方向側）に配置されている。したがって、凹部７３ａ（制御基板取付部７３）と屋外コンセント収容部７１とは、壁面Ａに沿った水平方向（Ｘ方向）に並ぶように配置されている。また、凹部７３ａの背面側には、パッキン７３ｃが設置された環状の溝部（図示せず）が設けられている。蓋部材７３ｂは、凹部７３ａの背面側（後方側、Ｙ２方向側）からパッキン７３ｃに接触した状態で、凹部７３ａを密閉状態で塞ぐように構成されている。
【００４３】
凹部７３ａには、図６に示すように、後方（Ｙ２方向）に延びる円筒形状のネジ取付部７３ｄが複数（５つ）設けられている。また、制御基板６（図３参照）には、ネジ取付部７３ｄに対応する配置で、ネジを通すためのネジ穴（図示せず）が設けられている。そして、制御基板取付部材７は、ネジ取付部７３ｄの後端に基板前面６ａ（図３参照）を当接させた状態で、ネジにより、制御基板６をネジ取付部７３ｄに固定するように構成されている。
【００４４】
図３に示すように、配線用貫通孔７４ａ〜７４ｃおよび電源プラグ用貫通孔７４ｄは、制御基板６の下方側（Ｚ２方向側）に位置する制御基板取付部材７の底面７ａにそれぞれ設けられている。また、配線用貫通孔７４ａ〜７４ｃには、図２に示すように、それぞれ、配線２ａ、２ｂおよび２ｃが通されている。なお、配線用貫通孔７４ａ〜７４ｃは、底面７ａを含む壁部分を上下方向（Ｚ方向）に貫通している。また、底面７ａは、概ね、水平方向（Ｘ方向およびＹ方向）に延びている。電源プラグ用貫通孔７４ｄには、電源部６１に接続される配線を含む電源プラグ６２が通されている。
【００４５】
通知部７５は、図８に示すように、制御基板取付部材７の前面７ｂに配置されている。前面７ｂは、上下方向（Ｚ方向）および左右方向（Ｘ方向）に延びる平坦面である。また、通知部７５は、制御基板６に設けられたＬＥＤ６６ａ〜６６ｇと、ＬＥＤ６６ａ〜６６ｇの数に対応する複数（７つ）の円形状の孔部７５ａとを含んでいる。また、ＬＥＤ６６ａ〜６６ｇは、それぞれ、複数の孔部７５ａの後方に配置されている。通知部７５は、ＬＥＤ６６ａ〜６６ｇの点灯状態により、水中電動ポンプ３ａおよび３ｂの各種状態をユーザに通知するように構成されている。具体的には、ＬＥＤ６６ａは、電源のＯＮ／ＯＦＦを示すように構成されている。ＬＥＤ６６ｂは、運転の状態を示すように構成されている。ＬＥＤ６６ｃは、警告を行うように構成されている。ＬＥＤ６６ｄは、自動交互運転（自動運転モード）を示すように構成されている。ＬＥＤ６６ｅは、１号ポンプ（水中電動ポンプ３ａ）が運転中であるか、次回運転ポンプとして待機中であるか、異常が生じている恐れがあるかといった状態を示すように構成されている。ＬＥＤ６６ｆは、２号ポンプ（水中電動ポンプ３ｂ）が運転中であるか、次回運転ポンプとして待機中であるか、異常が生じている恐れがあるかといった状態を示すように構成されている。ＬＥＤ６６ｇは、手動運転（マニュアル運転モード）を示すように構成されている。つまり、ＬＥＤ６６ａ〜６６ｇは、点灯、点滅により各部の運転状態や警告などを通知するように構成されている。特に、１号ポンプ（水中電動ポンプ３ａ）のＬＥＤ６６ｅ、２号ポンプ（水中電動ポンプ３ｂ）のＬＥＤ６６ｆおよび警告用のＬＥＤ６６ｃは、点灯、点滅により警告を通知するように構成されている。なお、通知部７５は音により警告を通知してもよい。
【００４６】
操作部７６は、制御基板取付部材７の前面７ｂに配置されている。また、操作部７６は、制御基板６（図３参照）に設けられたスイッチ６７ａおよび６７ｂと、スイッチ６７ａおよび６７ｂの数に対応する複数（２つ）の矩形状の孔部７６ａとを含んでいる。また、スイッチ６７ａおよび６７ｂは、それぞれ、先端部が孔部７６ａから前方（Ｙ１方向）に突出するように配置されている。スイッチ６７ａは、モード切替用のスイッチであり、自動で交互運転を行う自動運転モードと、手動で運転させるマニュアル運転モードとを切り替えるために操作されるように構成されている。また、スイッチ６７ｂは、運転／停止用のスイッチであり、マニュアル運転モード時に水中電動ポンプ３ａまたは３ｂを手動で運転／停止させるために操作されるように構成されている。
【００４７】
防水シール７７は、制御基板取付部材７の前面７ｂに対応する矩形形状を有している。また、防水シール７７は、制御基板取付部材７の前面７ｂに前方（Ｙ１方向）から貼り付けられるように構成されている。したがって、防水シール７７は、前方（Ｙ１方向）から通知部７５および操作部７６を覆うように構成されている。その結果、防水シール７７は、孔部７５ａおよび７６ａから水や埃などが制御基板取付部材７内（制御基板６側）に浸入するのを防止している。
【００４８】
制御基板６は、タンク１内に設けられた水中電動ポンプ３ａおよび３ｂの運転を制御するように構成されている。具体的には、制御基板６は、交互運転を行う自動運転モード時において、水位検知部４により検知した水位に基づいて、複数の水中電動ポンプ３ａおよび３ｂの交互運転、あるいは、同時運転を制御するように構成されている。つまり、制御基板６は、タンク１内の水位がＯＮ水位以上になったことに基づいて、水中電動ポンプ３ａおよび３ｂのうち一方を運転させて、タンク１内の水を排水させる。その後、制御基板６は、タンク１内の水位がＯＦＦ水位以下になったことに基づいて、運転中の水中電動ポンプ３ａまたは３ｂの運転を停止させる。そして、制御基板６は、次に、タンク１内の水位がＯＮ水位以上になった場合は、水中電動ポンプ３ａおよび３ｂのうち他方を運転させて、タンク１内の水を排水させる。また、異常増水等により、水中電動ポンプ３ａまたは３ｂのいずれか一方だけでは一定時間内にタンク１内の水位が下がらない場合は、水中電動ポンプ３ａおよび３ｂの双方を同時に運転させてタンク１内の水を排水させる。
【００４９】
また、制御基板６は、複数の水中電動ポンプ３ａおよび３ｂに対する電力の供給を切り替えることにより、複数の水中電動ポンプ３ａおよび３ｂの交互運転、あるいは、同時運転を制御するように構成されている。つまり、制御基板６は、水中電動ポンプ３ａ（３ｂ）に電力を供給することにより、水中電動ポンプ３ａ（３ｂ）を運転させるとともに、水中電動ポンプ３ａ（３ｂ）への電力の供給を停止することにより、水中電動ポンプ３ａ（３ｂ）の運転を停止させるように構成されている。
【００５０】
（ポンプ交互運転処理）
図９を参照して、制御基板６によるポンプ交互運転処理について説明する。
【００５１】
電動ポンプシステム１００が起動されると、ステップＳ１において、制御基板６は、タンク１内の水位を判断する。具体的には、制御基板６は、水位検知部４の検知結果に基づいて、タンク１内の水位がＯＮ水位以上か、ＯＮ水位後ＯＦＦ水位以下となったか、または、それ以外かを判断する。それ以外であれば、ステップＳ１の判断が繰り返される。タンク１内の水位が、ＯＮ水位以上と判断されれば、ステップＳ２に進み、タンク１内の水位が、ＯＮ水位以上に増加した後、ＯＦＦ水位以下に低下したと判断されれば、ステップＳ９に進む。
【００５２】
ステップＳ２において、制御基板６は、メインポンプが水中電動ポンプ３ａであるか、または、水中電動ポンプ３ｂであるかを判断する。メインポンプが水中電動ポンプ３ａであれば、ステップＳ３に進み、メインポンプが水中電動ポンプ３ｂであれば、ステップＳ６に進む。
【００５３】
ステップＳ３において、制御基板６は、水中電動ポンプ３ａをＯＮにする。具体的には、制御基板６は、水中電動ポンプ３ａに電力を供給して、水中電動ポンプ３ａを運転させる。また、制御基板６は、通知部７５の水中電動ポンプ３ａのＬＥＤ６６ｅをＯＮにする（点灯させる）。そして、ステップＳ４に進む。
【００５４】
ステップＳ４において、制御基板６は、水中電動ポンプ３ａの運転時間が所定の設定時間を超過しているか否かを判断する。運転時間が所定の設定時間を超過していれば、ステップＳ５に進み、運転時間が所定の設定時間を超過していなければ、ステップＳ１に戻る。ステップＳ５において、制御基板６は、水中電動ポンプ３ｂをＯＮにする。具体的には、制御基板６は、水中電動ポンプ３ｂに電力を供給して、水中電動ポンプ３ｂを追っかけ運転させる（水中電動ポンプ３ａおよび３ｂを同時運転させる）。その後、ステップＳ１に戻る。なお、所定の設定時間は、タンク１の容量、水中電動ポンプ３ａおよび３ｂの性能、タンク１内に流入する水の平均量などに基づいて設定される。
【００５５】
ステップＳ２においてメインポンプが水中電動ポンプ３ｂであると判断されると、ステップＳ６において、制御基板６は、水中電動ポンプ３ｂをＯＮにする。具体的には、制御基板６は、水中電動ポンプ３ｂに電力を供給して、水中電動ポンプ３ｂを運転させる。また、制御基板６は、通知部７５の水中電動ポンプ３ｂのＬＥＤ６６ｆをＯＮにする（点灯させる）。そして、ステップＳ７に進む。
【００５６】
ステップＳ７において、制御基板６は、水中電動ポンプ３ｂの運転時間が所定の設定時間を超過しているか否かを判断する。運転時間が所定の設定時間を超過していれば、ステップＳ８に進み、運転時間が所定の設定時間を超過していなければ、ステップＳ１に戻る。ステップＳ８において、制御基板６は、水中電動ポンプ３ａをＯＮにする。具体的には、制御基板６は、水中電動ポンプ３ａに電力を供給して、水中電動ポンプ３ａを追っかけ運転させる（水中電動ポンプ３ａおよび３ｂを同時運転させる）。その後、ステップＳ１に戻る。なお、ステップＳ４と同様、所定の設定時間は、タンク１の容量、水中電動ポンプ３ａおよび３ｂの性能、タンク１内に流入する水の平均量などに基づいて設定される。
【００５７】
ステップＳ１において水位がＯＮ水位後ＯＦＦ水位以下と判断されると、ステップＳ９において、制御基板６は、水中電動ポンプ３ａおよび３ｂをＯＦＦにする。具体的には、制御基板６は、水中電動ポンプ３ａおよび３ｂへの電力の供給を停止して、水中電動ポンプ３ａおよび３ｂの運転を停止させる。なお、この場合、運転中の水中電動ポンプは、運転が停止され、停止中の水中電動ポンプは、停止が継続される。
【００５８】
ステップＳ１０において、制御基板６は、メインポンプを切り替える。つまり、メインポンプが水中電動ポンプ３ａである場合、メインポンプを水中電動ポンプ３ｂに切替える。一方、メインポンプが水中電動ポンプ３ｂである場合、メインポンプを水中電動ポンプ３ａに切替える。その後、ステップＳ１に戻る。
【００５９】
（第１実施形態の効果）
第１実施形態では、以下のような効果を得ることができる。
【００６０】
第１実施形態では、上記のように、壁面Ａに設けられた屋外コンセントＢに対して固定されることにより制御基板６を設置する制御基板取付部材７を設ける。これにより、制御基板取付部材７が壁面Ａではなく、壁面Ａに設けられた屋外コンセントＢに対して固定されることにより、制御基板６が設置されるので、ボルトなどの締結用の孔を壁面Ａに直接形成する必要がない。その結果、壁面Ａを傷つけることなく、制御基板６を壁面Ａに設置することができる。また、制御基板取付部材７を用いて制御基板６を壁面Ａに設けられた屋外コンセントＢに対して固定することにより、制御基板取付部材７を屋外コンセントＢと略同等の高さ位置に設置することができるので、例えば雨天時において、地面からの雨の跳ね返りが制御基板取付部材７へかかることを抑制する事ができる。なお、一般的に、屋外コンセントＢは、地面からの雨の跳ね返りがかかりにくい高さ位置に設けられる。
【００６１】
また、第１実施形態では、上記のように、制御基板取付部材７に、屋外コンセントＢを収容する屋外コンセント収容部７１を設け、制御基板取付部材７を、制御基板取付部材７に屋外コンセントＢが収容された状態で、屋外コンセントＢに対して固定されるように構成する。これにより、屋外コンセント収容部７１に屋外コンセントＢが収容されるので、制御基板取付部材７により、屋外コンセントＢに埃や水などが接するのを抑制しながら、壁面Ａを傷つけることなく、制御基板６を壁面Ａに設置することができる。
【００６２】
また、第１実施形態では、上記のように、制御基板取付部材７に、制御基板取付部材７の背面側に設けられ、制御基板６を取り付ける制御基板取付部７３を設け、屋外コンセント収容部７１と制御基板取付部７３とを、水平方向に並ぶように配置する。これにより、屋外コンセント収容部７１と制御基板取付部７３との高さ位置が同じになるので、制御基板６と屋外コンセントＢとの電源プラグ６２の配線による接続を容易に行うことができる。
【００６３】
また、第１実施形態では、上記のように、水中電動ポンプ３ａおよび３ｂを制御基板６に接続する配線２ａおよび２ｂを設け、制御基板取付部材７に、制御基板６の下方側に位置する制御基板取付部材７の底面７ａに配置され、配線２ａおよび２ｂが通される配線用貫通孔７４ａおよび７４ｂを設ける。これにより、配線用貫通孔７４ａおよび７４ｂが制御基板取付部材７の底面７ａに設けられるので、配線用貫通孔７４ａおよび７４ｂを介して水（雨）や埃などが制御基板６側に浸入するのを抑制することができる。その結果、水や埃などが制御基板６に接するのを抑制することができる。
【００６４】
また、第１実施形態では、上記のように、制御基板取付部７３の下方に引き出された制御基板６に電力を供給するための電源プラグ６２を、制御基板６に設け、制御基板取付部７３の下方から引き出された電源プラグ６２が屋外コンセント収容部７１に収容された屋外コンセントＢに、制御基板取付部材７を接続可能に構成する。これにより、制御基板取付部材７が屋外コンセントＢに固定されるので、制御基板６を屋外コンセントＢに近接して配置することができる。その結果、制御基板６は、電源プラグ６２を介して制御基板６に近接して配置された屋外コンセントＢから電力の供給を受けることができるので、配線の取り回しを容易に行うことができる。
【００６５】
また、第１実施形態では、上記のように、制御基板取付部７３は、制御基板６を配置する凹部７３ａと、凹部７３ａに制御基板６が配置された状態で、凹部７３ａを密閉状態で塞ぐ蓋部材７３ｂとを含む。これにより、蓋部材７３ｂにより凹部７３ａが密閉状態で塞がれるので、凹部７３ａに配置された制御基板６に水や埃が浸入するのを抑制することができる。
【００６６】
また、第１実施形態では、上記のように、水中電動ポンプ３ａおよび３ｂにより排水される領域の水位を検知する水位検知部４を設け、制御基板６を、水位検知部４により検知した水位に基づいて、水中電動ポンプ３ａおよび３ｂを交互、あるいは同時に運転させるように構成する。これにより、制御基板６および水位検知部４により、自動で水中電動ポンプ３ａおよび３ｂを交互運転させることができるので、特定の水中電動ポンプ３ａまたは３ｂに負荷が集中するのを抑制することができる。また、異常増水等により、水中電動ポンプ３ａまたは３ｂのいずれか一方だけでは一定時間内にタンク１内の液位が下がらない場合は、水中電動ポンプ３ａおよび３ｂの双方を同時に運転させてタンク１内から液体が溢れることを防止することができる。
【００６７】
また、第１実施形態では、上記のように、制御基板取付部材７に、前面７ｂ側に配置される防水シール７７と、防水シール７７により覆われる通知部７５および操作部７６を設ける。これにより、防水シール７７により水や埃などが制御基板取付部材７内に浸入するのを抑制することができる。
【００６８】
また、第１実施形態では、上記のように、制御基板取付部材７に、屋外コンセント収容部７１に屋外コンセントＢが収容された状態で、屋外コンセントＢに側方から当接することにより屋外コンセントＢに対して制御基板取付部材７を固定する固定部材７２を設ける。これにより、固定部材７２を屋外コンセントＢに側方から当接させるだけで、屋外コンセントＢに対して制御基板取付部材７を固定することができるので、屋外コンセントＢに対して制御基板取付部材７を、容易に固定することができる。
【００６９】
また、第１実施形態では、上記のように、制御基板取付部材７を、屋外コンセント収容部７１に屋外コンセントＢが収容された状態で、固定部材７２により屋外コンセントＢの左外側面Ｂ１を押圧することによって、屋外コンセントＢの右外側面Ｂ２を制御基板取付部材７の屋外コンセント収容部７１の内壁面７１２に押圧させることにより、屋外コンセントＢに対して固定されるように構成する。これにより、固定部材７２を用いて屋外コンセントＢを挟持することにより、制御基板取付部材７が屋外コンセントＢに対して固定されるので、壁面Ａを傷つけることなく、制御基板６を壁面Ａに設置することができる。また、単に屋外コンセントＢを挟持するたけで、制御基板取付部材７が屋外コンセントＢに対して固定されるので、容易に、制御基板６を壁面Ａに設置することができる。
【００７０】
また、第１実施形態では、上記のように、制御基板取付部材７を、絶縁性の樹脂材料により形成する。これにより、絶縁性の樹脂を用いるために、制御基板６に流れる電流が制御基板取付部材７に伝わるのを防止することができる。
【００７１】
［第２実施形態］
次に、図１０および図１１を参照して、本発明の第２実施形態について説明する。この第２実施形態では、屋外コンセント収容部７１と制御基板取付部７３とが水平方向に並ぶように制御基板取付部材７を構成した上記第１実施形態とは異なり、屋外コンセント収容部７１と制御基板取付部７３とが上下方向に並ぶように制御基板取付部材２０７を構成する例について説明する。
【００７２】
図１０に示すように、第２実施形態の電動ポンプ制御ユニット２０５は、制御基板６と制御基板取付部材２０７とを備えている。
【００７３】
制御基板取付部材２０７は、屋外コンセント収容部７１と、固定部材７２と、制御基板取付部７３と、配線用貫通孔７４ａ〜７４ｃと、電源プラグ用貫通孔７４ｄと、通知部７５と、操作部７６と、防水シール７７と、傘部８とを含んでいる。
【００７４】
ここで、上記第１実施形態では、配線用貫通孔７４ａ〜７４ｃと、電源プラグ用貫通孔７４ｄとは、制御基板取付部材７の底面７ａに設けられていたが、第２実施形態では、図１１に示すように、制御基板取付部材２０７の右側面２０７ａに設けられている。また、傘部８は、右側面２０７ａに配置され、配線用貫通孔７４ａ〜７４ｃと、電源プラグ用貫通孔７４ｄとを上方から覆うように設けられている。また、傘部８は、側面視において、配線用貫通孔７４ａ〜７４ｃおよび電源プラグ用貫通孔７４ｄと重なるように配置されている。また、傘部８は、下方側に配線２ａ〜２ｃおよび電源プラグ６２に含まれる配線とを通す開口部８ａを有している。このように、制御基板取付部材２０７は、傘部８により、配線用貫通孔７４ａ〜７４ｃと、電源プラグ用貫通孔７４ｄと介して内部（制御基板６（図１０参照）側）に水や埃が浸入するのを抑制するように構成されている。
【００７５】
なお、第２実施形態のその他の構成は、上記第１実施形態と同様である。
【００７６】
第２実施形態では、上記第１実施形態と同様に、壁面Ａに設けられた屋外コンセントＢに対して固定されることにより制御基板６を設置する制御基板取付部材２０７を設ける。これにより、制御基板取付部材２０７が壁面Ａではなく、壁面Ａに設けられた屋外コンセントＢに対して固定されることにより、制御基板６が設置されるので、壁面Ａを傷つけることなく、制御基板６を壁面Ａに設置することができる。
【００７７】
なお、第２実施形態のその他の効果は、上記第１実施形態と同様である。
【００７８】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７９】
たとえば、上記第１および第２実施形態では、電動ポンプとして水中電動ポンプを用いる構成の例を示したが、本発明はこれに限らない。本発明では、電動ポンプとして陸上電動ポンプを用いてもよい。
【００８０】
また、上記第１および第２実施形態では、本発明の制御ユニット取付部材を取り付ける構造物として屋外コンセントを用いる例を示したが、本発明はこれに限らない。本発明では、たとえば、制御ユニット取付部材で挟持できる壁面に設けられた構造物であれば屋内コンセントや警報機等、壁面に設けられた突起状の構造物に適用可能である。
【００８１】
また、上記第１および第２実施形態では、電動ポンプシステムに水中電動ポンプ（電動ポンプ）を２つ設ける構成の例を示したが、本発明はこれに限らない。本発明では、電動ポンプシステムに３以上の電動ポンプを設けてもよい。この場合、電動ポンプを１つずつ順番に交互に運転させてもよいし、電動ポンプを複数台ずつ順番に交互に運転させてもよい。
【００８２】
また、上記第１および第２実施形態では、屋外コンセントが２つのプラグ差込口を有している構成の例を示したが、本発明はこれに限らない。本発明では、屋外コンセントが２つのプラグ差込口を有している以外の構成、例えば屋外コンセントが３つのプラグ差込口を有している構成にも適用可能であり、電源プラグの形状も、屋外コンセントのプラグ差込口の形状に合わせて適宜変更可能である。
【００８３】
また、上記第１および第２実施形態では、通知部の点灯、点滅により警告を通知する構成の例を示したが、本発明はこれに限らない。本発明では、通知部により、視覚的、聴覚的、触覚的、嗅覚的のいずれの手段およびその組み合わせにおいて通知してもよい。また、通信により遠隔の端末に警告を通知してもよい。
【００８４】
また、上記第１および第２実施形態では、構造物収容部と制御基板取付部とが水平方向または上下方向に並ぶように構成した例を示したが、本発明はこれに限らない。本発明では、構造物収容部と制御基板取付部とが、斜め方向や厚み方向（壁面に直交する方向）に並ぶように構成してもよい。
【００８５】
また、上記第１および第２実施形態では、通知部および操作部を、制御ユニット取付部材の前面側に設けた例を示したが、本発明はこれに限らない。本発明では、通知部および操作部を、制御ユニット取付部材の側面側、上面側または下面側に設けてもよい。
【００８６】
また、上記第１および第２実施形態では、水中電動ポンプ（電動ポンプ）をタンク内に配置する例を示したが、本発明はこれに限らない。本発明では、電動ポンプをタンク以外の排水が必要な領域に配置してもよい。たとえば、池、河川、湖などに電動ポンプを配置してもよいし、上水設備または下水設備に電動ポンプを配置してもよい。
【００８７】
また、上記第１実施形態では、屋外コンセント収容部を、制御基板取付部材内の左方向側（Ｘ２方向側）に配置されている例を示したが、本発明はこれに限らない。本発明では、屋外コンセント収容部を、制御基板取付部材内の右方向側（Ｘ１方向側）に配置してもよい。
【符号の説明】
【００８８】
２ａ、２ｂ  配線
３ａ、３ｂ  水中電動ポンプ（電動ポンプ）
４  水位検知部
５、２０５  電動ポンプ制御ユニット
６  制御基板（制御ユニット）
７、２０７  制御基板取付部材（制御ユニット取付部材）
７ａ  底面
７ｂ  前面
６２  電源プラグ
７１  屋外コンセント収容部（構造物収容部）
７２  固定部材
７３  制御基板取付部
７３ａ  凹部
７３ｂ  蓋部材
７４ａ、７４ｂ  配線用貫通孔
７５  通知部
７６  操作部
７７  防水シール
１００  電動ポンプシステム
７１２  内壁面
Ａ  壁面
Ｂ  屋外コンセント（構造物）
Ｂ１  左外側面（一方外側面）
Ｂ２  右外側面（他方外側面）
【図１】
2018091212.tif 000003
【図２】
2018091212.tif 000004
【図３】
2018091212.tif 000005
【図４】
2018091212.tif 000006
【図５】
2018091212.tif 000007
【図６】
2018091212.tif 000008
【図７】
2018091212.tif 000009
【図８】
2018091212.tif 000010
【図９】
2018091212.tif 000011
【図１０】
2018091212.tif 000012
【図１１】
2018091212.tif 000013